(57)【特許請求の範囲】
【請求項１】
躯体の側面に、複数の押出成形セメント板を取り付け、該押出成形セメント板の表面に仕上げ材を取り付ける押出成形セメント板への仕上げ材取付構造であって、
前記押出成形セメント板が前記躯体側面と平行な面方向で揺動可能となるように、前記押出成形セメント板を前記躯体に取り付け、
前記押出成形セメント板の幅方向に水平に連続する仕上げ材取付用下地金物を、前記押出成形セメント板の高さ方向に複数本、前記押出成形セメント板の表面側幅方向中央部に滑り材を介して上端側がボルト固定された支持プレートの下端側に固定し、
前記仕上げ材取付用下地金物に前記仕上げ材を取り付けることを特徴とする押出成形セメント板への仕上げ材取付構造。
【請求項２】
前記押出成形セメント板中央下端面をロッキングブロックによって支持したことを特徴とする請求項１に記載の押出成形セメント板への仕上げ材取付構造。
【請求項３】
前記仕上げ材取付用下地金物に前記仕上げ材取付用プレートを取り付け、該仕上げ材取付用プレートの上側に突出するだぼピンを上側仕上げ材の下端面に挿嵌するとともに、下側に突出するだぼピンを下側仕上げ材の上端面に挿嵌し、
前記仕上げ材の上端面に挿嵌されただぼピンのみを前記押出成形セメント板の幅方向へ平行移動可能に前記仕上げ材取付用プレートに取り付けたことを特徴とする請求項１又は請求項２記載の押出成形セメント板への仕上げ材取付構造。
【請求項４】
前記仕上げ材取付用下地金物は、水平に連続した片を有しており、
この片又はこの片に取り付けられる仕上げ材取付用プレートのいずれか一方にボルト穴を形成し、
前記片又は前記仕上げ材取付用プレートのいずれか他方に前記ボルト穴より長い遊嵌穴を前記押出成形セメント板の幅方向に形成し、
前記ボルト穴及び遊嵌長穴とにボルトを挿嵌し、
前記片に対して水平方向に相対移動可能となった前記仕上げ材取付用プレートを、前記片に締着したことを特徴とする請求項１又は請求項２記載の押出成形セメント板への仕上げ材取付構造。
【発明の詳細な説明】
【０００１】
【発明の属する技術分野】
本発明は、躯体の側面に取り付けられた押出成形セメント板の表面に、仕上げ材を取り付ける押出成形セメント板への仕上げ材取付構造に関する。
【０００２】
【従来の技術】
従来から建築物外装面に仕上げ材として意匠性に優れた石材、陶板、大型タイル、セラミック板、金属パネル等を取り付けることが行われている。
このような構造としては、建物躯体に軽量鉄骨を仕上げ材の割り付けピッチ、留め付けピッチに合わせて組み立て、これに仕上げ材を取り付けたものや、押出成形セメント板表面に仕上げ材を取り付けたものがあった。
このうち押出成形セメント板表面への仕上げ材取付構造として図７乃至図９に示すものがある。これは以下に説明する順序で、ファスナーに取り付けられただぼピンにより石材を取り付けるものである。
【０００３】
躯体１に従来の方法で押出成形セメント板２を取り付け、前記押出成形セメント板２の表面にＬ字型の１次ファスナー３をボルト４で取り付ける。この１次ファスナー３は押出成形セメント板２の１枚に水平方向に２ヶ所取り付けられ、石材７の割り付けは押出成形セメント板２の割り付けに合わせて取り付けられる。次に、予めだぼピン８が取り付けられた下部２次ファスナー５を１次ファスナー３にボルト６にて固定する。
石材７には予め上下の小口面に２ヶ所、だぼピン８が挿入される穴が形成されており、まず石材７の下部穴９に下部２次ファスナー５のだぼぴん８を挿入し、次いで、上部２次ファスナー１０を介して石材上部穴１１にだぼピン８を挿入して取り付ける。
このようにして、順次下方から上方へ石材７を取り付けていく。
【０００４】
【発明が解決しようとする課題】
軽量鉄骨を仕上げ材の割り付けピッチ、留め付けピッチに合わせて組み立て、これに仕上げ材を取り付ける場合、外壁としての耐火性能をもたせるため、モルタル、吹き付けロックウール等を仕上げ材裏面側に施す必要があった。このため、施工に手間がかかり、工期が長くなる等の問題があった。
【０００５】
躯体に取り付けた押出成形セメント板表面に仕上げ材を取り付ける場合には、押出成形セメント板が層間変位によってロッキングするため、仕上げ材の割り付けに制限があった。
また、押出成形セメント板表面に仕上げ材を取り付ける場合には、押出成形セメント板の動きが仕上げ材に影響しないように、押出成形セメント板と仕上げ材の割り付けを合わせ、一枚の仕上げ材は一枚の押出成形セメント板の中で取り付ける必要があった。
このため、仕上げ材を押出成形セメント板の目地を股がって取り付けることはできなかった。仕上げ材を複数枚の押出成形セメント板に股がって取り付けた場合には、ロッキング時に仕上げ材が破損、落下する可能性があった。また、仕上げ材の割り付けや大きさは押出成形セメント板の大きさによって制限され、仕上げ材を押出成形セメント板を跨がって取付できないため、外壁面の割り付けデザインにも制限があった。
【０００６】
このため、躯体に取り付けた押出成形セメント板を複数枚に跨がって仕上げ材を取り付ける場合、押出成形セメント板と外装板の面内方向の変位が共に吸収できる仕上げ材と押出成形セメント板の取付構造の開発が望まれていた。
本発明は、上記状況に鑑みてなされたもので、押出成形セメント板と仕上げ材の面内方向の変位が共に吸収でき、更に押出成形セメント板の割り付けに制約されることなく仕上げ材を取り付けることのできる押出成形セメント板への仕上げ材取付構造を提供することを目的とする。
【０００７】
【課題を解決するための手段】
上記目的を達成するための本発明に係る請求項１の取付構造は、躯体の側面に、複数の押出成形セメント板を取り付け、該押出成形セメント板の表面に仕上げ材を取り付ける取付構造であって、前記押出成形セメント板が前記躯体側面と平行な面方向で揺動可能となるように、前記押出成形セメント板を前記躯体に取り付け、前記押出成形セメント板の幅方向に水平に連続する仕上げ材取付用下地金物を、該押出成形セメント板の高さ方向に複数本、前記押出成形セメント板の表面側幅方向中央部に滑り材を介して上端側がボルト固定された支持プレートの下端側に固定し、この仕上げ材取付用下地金物に仕上げ材を取り付けることを特徴とするものである。
【０００８】
この取付構造では、押出成形セメント板の上下端面が支持部に支持され、押出成形セメント板が面方向に揺動可能になる。これによって、層間変位によって躯体と押出成形セメント板の間に変位が生じた場合であっても、この変位が押出成形セメント板の面方向の移動（ロッキング）により吸収される。また、押出成形セメント板表面の仕上げ材取付用下地金物は押出成形セメント板の変位によって水平に平行移動する。従って、層間変位により、押出成形セメント板と仕上げ材との間に変位が生じた場合であっても、この変位が面内方向の移動により吸収される。
【０００９】
請求項２の取付構造は、押出成形セメント板中央下部をロッキングブロックによって支持したことを特徴とする物である。
この取付構造では、層間変位時に押出成形セメント板がロッキングブロックを支点としてよりスムーズに揺動（ロッキング）可能となる。
【００１０】
請求項３の取付構造は、仕上げ材取付用下地金物を、前記押出成形セメント板の表面側幅方向中央部で固定し、前記仕上げ材取付用下地金物に仕上げ材取付用プレートを取り付け、この仕上げ材取付用プレートの上側に突出するだぼピンを上側仕上げ材の下端面に挿嵌するとともに、下側に突出するだぼピンを下側仕上げ材上端面に挿嵌し、前記仕上げ材の上端面に挿嵌されるだぼピンのみを前記押出成形セメント板の幅方向へ平行移動可能に前記仕上げ材取付用プレートに取り付けたことを特徴とするものである。
【００１１】
この取付構造では、上下方向に突出しただぼピンが、上下で隣接する上側の仕上げ材の下端面と、上下で隣接する下側の仕上げ材の上端面とに挿嵌される。従って、仕上げ材の下端が移動不能に、仕上げ材の上端が移動可能となる。しかし、上端のだぼピンは押出成形セメント板の幅方向に平行移動可能に取り付けられているので、押出成形セメント板が層間変位し、仕上げ材取付用下地金物が水平に変位した場合、仕上げ材の変位が吸収される。
【００１２】
請求項４の取付構造は、前記仕上げ材取付用下地金物は、水平に連続する片を有しており、この片又はこの片に取り付けられる仕上げ材取付用プレートのいずれか一方にボルト穴を形成し、前記片又は前記仕上げ材取付用プレートのいずれか他方に前記ボルト穴より長い遊嵌穴を前記押出成形セメント板の幅方向に形成し、前記ボルト穴及び遊嵌長穴とにボルトを挿嵌し、前記片に対して水平方向に相対移動可能となった前記仕上げ材取付用プレートを、前記片に締着したことを特徴とする請求項１又は請求項２記載の押出成形セメント板への仕上げ材取付構造。
【００１３】
この取付構造では、水平固定部材又は仕上げ材取付用下地金物のいずれか一方に形成されたボルト穴にボルトが挿嵌され、このボルトが、水平固定部材又は仕上げ材取付用下地金物のいずれか他方に形成された遊嵌長穴に挿嵌される。従って、仕上げ材取付用下地金物は、ボルトと遊嵌長穴とが相対移動可能な範囲で、水平固定部材に対し移動可能となる。これにより、押出成形セメント板が層間変位した場合でも、仕上げ材取付用下地金物との変位が吸収される。
【００１４】
【発明の実施の形態】
以下、本発明に係る仕上げ材取付構造の好適な実施の形態を図面を参照して詳細に説明する。
図１は本発明に係る仕上げ材取付構造の基礎部の垂直断面図、図２は図１のＡ−Ａ断面図、図３は本発明に係る仕上げ材取付構造の中間部の垂直断面図、図４は本発明に係る仕上げ材取付構造の目地部以外の中間部の垂直断面図、図５は本発明に係る仕上げ材取付構造の上部の垂直断面図である。なお、図３乃至図６において、図１及び図２に示した部材と同一の部材には同一の符号を付し、重複する説明は省略するものとする。
【００１５】
図１に示す基礎４１の上面には、一次Ｌ形鋼４９が不図示のアンカーにより固定されている。一次Ｌ形鋼４９は、一方の片４９ａが垂直方向に立ち上がるように他方の片４９ｂを基礎４１に固定してある。
【００１６】
この一次Ｌ形鋼４９には、更に、二次Ｌ形鋼５１が溶接等により固定されている。二次Ｌ形鋼５１は、一方の片５１ａが水平となるように、他方の片５１ｂを一次Ｌ形鋼４９の一方の片４９ａに固定してある。
【００１７】
押出成形セメント板５３には、成形時における押し出し方向に、中空部５３ａが形成される。押出成形セメント板５３は、押し出し方向が上下方向となるようにして不図示の躯体の外面４３ａに平行に取り付けられる。押出成形セメント板５３は、幅方向略中央の下端面が、支持部（ロッキングブロック）５５を介して二次Ｌ形鋼５１の一方の片５１ａに支持される。ロッキングブロック５５としては、例えば硬質パッキング、鋼材等を用いることができる。
【００１８】
押出成形セメント板５３の背面下端には、中空部５３ａに達するボルト挿通穴５９が穿設されている。このボルト挿通穴５９には、稲妻金物６１が固定される。稲妻金物６１の一端にはボルト穴６１ａが穿設されている。稲妻金物６１は、ボルト穴６１ａに挿通したボルト６３をボルト挿通穴５９に挿通し、中空部５３ａ内でその先端にプレートナット６５を螺合することにより、長手方向が上下方向となるようにして押出成形セメント板５３の背面に固定される。
【００１９】
押出成形セメント板５３の下端は、押出成形セメント板５３の背面と、稲妻金物６１の他端との間に、二次Ｌ形鋼５１の一方の片５１ｂとパッキングを挟持することで、基礎４１に取り付けられている。なお。図中、６９は水切り材、７１はシーリング、７３はバックアップ材を示す。
【００２０】
このように、押出成形セメント板５３は、幅方向略中央の下端面が、ロッキングブロック５５により支持される。また、押出成形セメント板５３の背面下端は、背面と平行な二次Ｌ形鋼５１の片５１ａを、背面と稲妻金物６１とによって挟持して取り付けてある。従って、片５１ａを挟持する挟持力以上の外力が押出成形セメント板５３に作用した場合には、押出成形セメント板５３はロッキングブロック５５を中心に、躯体側面と平行な面方向で揺動することになる。
【００２１】
押出成形セメント板５３の幅方向略中央の表面下端には、中空部５３ａに達するボルト挿通穴７５を穿設してある。このボルト挿通穴７５には、帯板状の支持プレート７７が固定される。支持プレート７７の長手方向一端にはボルト穴７７ａが穿設されている。支持プレート７７は、押出成形セメント板５３との間に滑り材１１７を挟んでボルト穴７７ａに挿通したボルト７９をボルト挿通穴７５に挿通し、中空部５３ａ内でその先端にボルト受け金具８１を螺合することにより、長手方向が上下方向となるようにして押出成形セメント板５３の表面に固定される。図２に示すように、ボルト受け金具８１は、中空部５３ａの内壁面に沿う形状に形成されている。これにより、ボルト受け金具８１からの荷重は、中空部５３ａの内壁面に均等に加わるようになっている。
【００２２】
支持プレート７７の表面には、仕上げ材取付用下地金物８３が溶接等により固定されている。仕上げ材取付用下地金物８３は、水平固定部である一方の片８３ａが水平となるように、他方の片８３ｂを支持プレート７７に固定してある。仕上げ材取付用下地金物８３の一方の片８３ａには、上下方向に貫通するボルト８５により仕上げ材取付用プレート８７が締着される。仕上げ材取付用プレート８７には、ボルト８５の挿通されるボルト穴８７ａが形成されている。このボルト穴８７ａは、ボルト８５の外径と略同一に形成される。
【００２３】
図２に示すように、ボルト８５が挿通される一方の片８３ａのボルト穴８３ｃは、押出成形セメント板５３の幅方向に長くなっている。また、仕上げ材取付用プレート８７のボルト穴８７ａは躯体から外方へ向けて長くなっている。つまり、仕上げ材取付用プレート８７は、ボルト穴８３ｃとボルト穴８７ａでボルト８５が移動する範囲内で位置調整が可能となっている。仕上げ材取付用プレート８７は、この位置調整により、所定の位置に位置決めされた後、ボルト８５によって仕上げ材取付用下地金物８３に締着される。
【００２４】
仕上げ材取付用プレート８７の前縁には、上下面のそれぞれから垂直に突出する二つのだぼピン８９、９１を設けてある。上側に突出するだぼピン８９は、仕上げ材取付用プレート８７に移動不能に固定される。一方、下側に突出するだぼピン９１は、押出成形セメント板５３の幅方向に長い長穴９３を介して、この長穴９３の長手方向に移動可能となって仕上げ材取付用プレート８７に係合保持されている。
【００２５】
押出成形セメント板５３の外方には、この押出成形セメント板５３の表面と平行に仕上げ材（陶板、大理石、大型タイル、セラミック板等）９５が取り付けられる。仕上げ材９５は、上下方向に隣接する下方のものの上端面に、上述の下側に突出しただぼピン９１が挿嵌され、上下方向に隣接する上方のものの下端面に、上述の上側に突出しただぼピン８９が挿嵌される。仕上げ材９５は、このようにして、上端面及び下端面にだぼピン８９、９１が挿嵌されることで、上下端が仕上げ材取付用プレート８７に支持されて、押出成形セメント板５３の表面に取り付けられる。なお、図１、図２の９７は仕上げ材９５の目地を塞ぐシーリングを示す。
【００２６】
図３に示すように、躯体側面の上下方向中間部においては、Ｈ鋼材からなる梁９９の上側外面に、一次Ｌ形鋼４９が溶接等により固定されている。一次Ｌ形鋼４９は、一方の片４９ａが垂直に立ち上がるように他方の片４９ｂを梁９９に固定してある。この一次Ｌ形鋼４９には、更に、二次Ｌ形鋼５１が溶接等により固定されている。二次Ｌ形鋼５１は、一方の片５１ａが水平となるように他方の片５１ｂを一次Ｌ形鋼４９の一方の片４９ａに固定してある。
【００２７】
また、梁９９の下側外面には、Ｌ形鋼１００が溶接により固定されている。Ｌ形鋼１００は、一方の片が垂直に垂れ下がるように他方の片を梁９９に固定してある。
【００２８】
上側の押出成形セメント板５３の背面下端は、押出成形セメント板５３の背面と稲妻金物６１の間に二次Ｌ形鋼５１とパッキング１１８を挟持して取りつけられる。下側の押出成形セメント板５３の背面上端には、稲妻金物６１が固定される。稲妻金物６１は、長手方向が上下方向となる向きで取り付けられ、Ｌ形鋼１００を挟持し取り付けられている。
【００２９】
二次Ｌ形鋼５１の水平片５１ａ上には、ロッキングブロック５５が設けられる。水平片５１ａ上には、このロッキングブロック５５を介して、上側の押出成形セメント板５３の幅方向略中央の下端面が載置される。上側の押出成形セメント板５３の背面下端には、稲妻金物６１が固定される。稲妻金物６１は、長手方向が上下方向となる向きで、二次Ｌ形鋼５１の垂直片５１ｂとパッキング１１８を挟持している。なお、図３中、６９は水切り材、７１はシーリング、７３はバックアップ材を示す。
【００３０】
この中間部では、上側の押出成形セメント板５３の表面下端に、上述と同様の構成により、支持プレート７７が固定されている。支持プレート７７には、上述と同様の構成により、仕上げ材取付用下地金物８３を介して仕上げ材取付用プレート８７が固定されている。仕上げ材取付用プレート８７は、上下方向に突出しただぼピン８９、９１により、仕上げ材９５の上下端面を支持している。
【００３１】
図４は押出成形セメント板５３の中間部を示している。中間部では、上述同様に滑り材１１７を挟んで支持プレート７７を固定し、この支持プレート７７に、仕上げ材取付用下地金物８３を介して仕上げ材取付用プレート８７を固定する。
【００３２】
図５に示すように、躯体側面の最上部では、不図示の柱に固定された梁１０３の外面１０３ａに、一次Ｌ形鋼４９が固定される。一次Ｌ形鋼４９は、一方の片４９ａが水平となるように、他方の片４９ｂを梁１０３に固定してある。この一次Ｌ形鋼４９には、更に、二次Ｌ形鋼５１が溶接等により固定されている。二次Ｌ形鋼５１は、一方の片５１ａが梁１０３の外面１０３ａと平行となるように他方の片５１ｂを一次Ｌ形鋼４９の一方の片４９ａに固定してある。
【００３３】
最上段の押出成形セメント板５３の背面上端には、稲妻金物６１が固定される。稲妻金物６１は、長手方向が上下方向となる向きで、且つ上端と、押出成形セメント板５３の背面との間に間隙ができるように取り付けられる。稲妻金物６１は、この間隙で、二次Ｌ形鋼５１の一方の片５１ａを挟持している。これにより、最上段の押出成形セメント板５３の上端は、梁１０３、即ち、躯体側へ取り付けられている。
【００３４】
押出成形セメント板５３の表面上端には、上述と同様の構成により、滑り材１１７を挟んで支持プレート７７が固定され、支持プレート７７には、仕上げ材取付用下地金物８３が固定されている。但し、最上段の表面上端では、これら一体となった支持プレート７７及び仕上げ材取付用下地金物８３が、上述の各部位と上下逆向きに固定されている。仕上げ材取付用下地金物８３の一方の片８３ａには、上述の仕上げ材取付用プレート８７と異なる形状の仕上げ材取付用プレート１０５が固定されている。
【００３５】
仕上げ材取付用プレート１０５は、クランク状に折り曲げられ、一端１０５ａが仕上げ材取付用下地金物８３の一方の片８３ａに固定される。従って、仕上げ材取付用プレート１０５の他端１０５ｂは、一端１０５ａより上方で、この一端１０５ａと平行となって外方へ突出する。この他端１０５ｂには、下面から垂直に突出するだぼピン９１を設けてある。この下側に突出するだぼピン９１は、上述同様に、押出成形セメント板５３の幅方向に長い長穴９３（図２参照）を介して、この長穴９３の長手方向に移動可能となって仕上げ材取付用プレート１０５に係合保持されている。仕上げ材取付用プレート１０５から突出しただぼピン９１は、押出成形セメント板５３の外方に取り付けられた最上段の仕上げ材９５の上端面に挿嵌される。
【００３６】
躯体の上部には、笠木材１０７が設けられる。笠木材１０７の先端は、仕上げ材９５の上端面を覆う位置まで延出されている。笠木材１０７の下面側と押出成形セメント板５３の上端面との間にはガスケット５７が介装されている。また、笠木材１０７の下面側と押出成形セメント板５３の表面との間は、シーリング７１、バックアップ材７３により防水シールされている。更に、笠木材１０７と仕上げ材９５との間も、シーリング７１、バックアップ材７３により防水シールされている。
【００３７】
このように構成された押出成形セメント板５３への仕上げ材９５の取付構造では、層間変位によって躯体と押出成形セメント板５３の間に変位が生じた場合でも、押出成形セメント板５３が、面方向に揺動可能に取り付けられているので、この変位が押出成形セメント板５３の面方向の移動（ロッキング）によって吸収される。更に押出成形セメント板５３中央下部をロッキングブロック５５で支持することによって、よりスムーズにロッキングすることができ、変位を確実に吸収することができる。
【００３８】
また、水平に連続して取り付けられた仕上げ材取付用下地金物８３は、支持プレート７７を介して押出成形セメント板５３の幅方向中央部で固定されており、層間変位によって押出成形セメント板５３がロッキングした場合でも仕上げ材取付用金物８３は水平方向に平行移動し、押出成形セメント板５３との間に変位が生じた場合であっても、この変位が吸収される。
【００３９】
また、押出成形セメント板５３表面には、支持プレート７７が取り付けられ、これに仕上げ材取付用下地金物８３が取り付けられる。押出成形セメント板５３と支持プレート７７との間には滑り材１１７が挟持され、層間変位時に押出成形セメント板５３と支持プレート７７がスムーズに動くようになっている。仕上げ材９５は、仕上げ材取付用下地金物８３に仕上げ材取付用プレート８７を介して下端がだぼピン８９によって移動不能に固定される一方、上端が、押出成形セメント板５３の幅方向に移動可能に支持されただぼピン９１によって支持される。これにより、仕上げ材９５もまた、面方向に移動揺動可能となって押出成形セメント板５３に取り付けられる。従って、振動等の外力により、押出成形セメント板５３と仕上げ材９５との間に変位が生じた場合であっても、この変位が仕上げ材９５の面方向の移動により吸収されることになる。
【００４０】
このように、上述の仕上げ材と押出成形セメント板の仕上げ材取付構造によれば、押出成形セメント板５３の下端面をロッキングブロック５５により支持することで、押出成形セメント板５３を面方向に揺動可能に支持した。また、押出成形セメント板５３の表面に、支持プレート７７を介して仕上げ材取付用下地金物８３を固定し、これに仕上げ材取付用プレート８７を固定し、押出成形セメント板５３の幅方向に移動可能なだぼピン９１を仕上げ材９５の上端面に挿嵌して、仕上げ材９５を面方向に移動可能に支持した。
【００４１】
この結果、外力の作用により生じた躯体と押出成形セメント板５３との間の変位、又は押出成形セメント板５３と仕上げ材９５との間の変位を吸収することができ、押出成形セメント板５３、仕上げ材９５のいずれにも応力の集中することがなく、亀裂、圧壊等を防止することができる。
【００４２】
なお、上述した実施形態では、仕上げ材９５が石材、陶板、大理石、セラミック板等である場合を例に説明したが、本発明に係る仕上げ材取付構造は、仕上げ材が図６に示す塗装鋼板からなるスパンドレル１１１であってもよい。この例では、上述の仕上げ材取付用下地金物８３を省略し、水平固定部材１１３自体を断面Ｌ字状に形成してある。水平固定部材１１３は、一方の片１１３ａが水平となるように、他方の片１１３ｂを押出成形セメント板５３の表面に固定してある。
【００４３】
水平固定部材１１３の一方の片１１３ａには、ボルト穴１１３ｃが形成されている。このボルト穴１１３ｃには、ボルト１１５が挿通される。このボルト穴１１３ｃは、押出成形セメント板５３の幅方向に長い長穴となっている。水平固定部材１１３に仕上げ材取付用下地金物８３が取り付けられる。水平固定部材１１３と仕上げ材取付用下地金物８３の間には滑り材１１７が挟持されている。仕上げ材取付用下地金物８３には、ボルト１１５が挿通されるボルト穴１１３ｄが形成されている。このボルト穴１１３ｄは躯体側から外方向に向かって長い長穴となっている。
水平固定部材１１３及び仕上げ材取付用下地金物８３に挿通されたボルト１１５の先端には、ボルト受け金具（図示せず）が螺合される。そしてこの仕上げ材取付用下地金物８３にスパンドレル１１１が取り付けられる。
【００４４】
従って、このスパンドレル１１１の場合も上述の押出成形セメント板５３と同様に、スパンドレル１１１を取り付けている仕上げ材取付用下地金物８３が、ボルト穴１１３ｃが移動する範囲内で移動可能となっている。この結果、押出成形セメント板５３と仕上げ材取付用下地金物８３との間の変位を吸収でき、スパンドレル１１１に応力の集中することがなく、変形等を防止することができる。なお、ボルト穴１１３ｄはスパンドレル１１１の出寸法を調整するものである。
【００４５】
【発明の効果】
以上詳細に説明したように、本発明に係る仕上げ材取付構造は、押出成形セメント板の下端面を支持部に支持することで、押出成形セメント板を面方向に揺動可能に支持した。また、押出成形セメント板の表面に、仕上げ材取付用プレートを固定し、押出成形セメント板の幅方向に移動可能なだぼピンを仕上げ材の上端面に挿嵌して、仕上げ材を面方向に揺動可能に支持した。この結果、外力の作用により生じた躯体と押出成形セメント板との間の変位、又は押出成形セメント板と仕上げ材との間の変位を共に吸収することができ、押出成形セメント板、仕上げ材両方の亀裂、圧壊等を防止することができる。
更に、押出成形セメント板の割り付けに制約されることなく仕上げ材を取り付けることができるので、壁面の意匠性も向上させることができる。
【図面の簡単な説明】
【図１】本発明に係る仕上げ材取付構造の基礎部の垂直断面図である。
【図２】図１のＡ−Ａ断面図である。
【図３】本発明に係る仕上げ材取付構造の中間部の垂直断面図である。
【図４】本発明に係る仕上げ材取付構造の目地部以外の中間部の垂直断面図である。
【図５】本発明に係る仕上げ材取付構造の上部の垂直断面図である。
【図６】本発明に係る仕上げ材取付構造の変形例を示す水平断面図である。
【図７】従来の仕上げ材取付構造を示すジョイント部の垂直断面図である。
【図８】従来の仕上げ材取付構造を示すジョイント部の水平断面図である。
【図９】従来の仕上げ材取付構造を示す上部の垂直断面図である。
【符号の説明】
５３…押出成形セメント板、５５…ロッキングブロック（支持部）、８３…仕上げ材取付用下地金物、８３ａ…一方の片（水平固定部）、８３ｃ…遊嵌穴、８５…ボルト、８７，１０５…仕上げ材取付用プレート、８７ａ…ボルト穴、８９，９１…だぼピン、９５…仕上げ材
【図１】
0003905653.tif 000002
【図２】
0003905653.tif 000003
【図３】
0003905653.tif 000004
【図４】
0003905653.tif 000005
【図５】
0003905653.tif 000006
【図６】
0003905653.tif 000007
【図７】
0003905653.tif 000008
【図８】
0003905653.tif 000009
【図９】
0003905653.tif 000010